(57)【要約】      （修正有）【課題】二重遮水シートを固定し、水密性を維持できる二重遮水シートの固定部材およびその接合方法。【解決手段】固定部材６は、壁面２に埋設して固定部材６を支持する埋設部、一層目である遮水シートの上側シート５ａを固定する第一接合部８、二層目である遮水シートの下側シート５ｂを固定する第二接合部９、第一接合部８と第二接合部９とを連結する連結部１０とで構成する。第一接合部８は、下側シート５ｂを融着して固定する部分で、矩形形状の第一接合面１２を形成している。第一接合部１２の上側には、第二接合部９が配置されている。第二接合部９は、上側シート５ａを融着して固定する部分で、第一接合面１２と平行に矩形形状の第二接合面１３を形成している。遮水シート５は、下側シート５ｂの上側または下側の端部を第一接合面１２に融着し、上側シート５ａの上側または下側の端部を第二接合面１３に融着する。このとき、遮水シート端部の融着は、肉盛融着を行う。【選択図】図４
2005095720.tif 000002
【特許請求の範囲】
【請求項１】
躯体に埋設する埋設部と、埋設部の近くに設けたフランジ状の第一の接合部と、第一接合部の上方に設けたフランジ状の第二の接合部と、第一接合部と第二接合部とを連結するウェブ状の連結部とで構成されていることを特徴とする二重遮水シートの固定部材。
【請求項２】
第一接合部と第二接合部は、遮水シートの接合部を平面状に形成し、第一接合部が第二接合部より広く形成していることを特徴とする請求項１記載の二重遮水シートの固定部材。
【請求項３】
第一接合部と第二接合部との間には、連結部と第一接合部と第二接合部とで漏水検知用の漏水路を構成していることを特徴とする請求項１または２記載の二重遮水シートの固定部材。
【請求項４】
前記漏水路に、円筒状のパイプを設けて漏水路を構成することを特徴とする請求項３記載の二重遮水シートの固定部材。
【請求項５】
前記固定部材と前記敷設部材とが同質の材料で形成されていることを特徴とする請求項１〜４のいずれかに記載の二重遮水シートの固定部材。
【請求項６】
敷設部材を請求項１〜５のいずれかに記載の固定部材を用いて壁面等の躯体に取り付ける施工方法であって、敷設部材の一方のシートを固定部材の第一接合部に接合し、他方のシートを第二接合部に接合することを特徴とする二重遮水シートの施工方法。
【発明の詳細な説明】
【技術分野】
【０００１】
本発明は、廃棄物貯留施設の貯留部の汚水が地盤へ漏れるのを防止する二重遮水シートを、壁面に固定する固定部材およびその接合方法に関するものである。
【背景技術】
【０００２】
一般に、廃棄物処分場は、山間の凹所になっている地形等を利用して整地するとともに、壁面をコンクリート製等にした上に遮水シートを敷設して形成されている。この形成された処分場に、次々に上から廃棄物を投棄し、廃棄物が処分場の容積に対していっぱいになった時点で、上から覆土や遮水シート等で覆って、中の廃棄物が無害化するまで放置するという形態が採られている。
【０００３】
遮水シートを敷設する施工方法としては、シートの端部をフラットバー、もしくは、シート用の止水部材に融着や接着等で固定するものがある。しかし、シートの端部のみを固定する方法では、シートの敷設長が長い場合、固定部に負荷がかかりやすく、末端からシートが外れたりする。また、シートは、熱膨張により発生した弛みが最下部に溜まり、品質および維持管理に問題があった。
【０００４】
そこで、特許文献１では、固定した端部での負荷を低減するために、負荷の少ない位置で固定することができる止水部材を提供している。
【特許文献１】特開２００３−１９０９０４号（段落００１０〜００１４、図１）
【発明の開示】
【発明が解決しようとする課題】
【０００５】
ところで、近年、廃棄物処分場における遮水をより確実にすべく、二重構造の遮水シートが用いられるようになった。二重構造シートを施工する場合、特許文献１の止水部材では、一層目のシートの水密性を維持した状態で固定することは可能だが、二層目のシートを固定する場合、一層目のシートの上からの固定となるため、一層目のシートの水密性の観点から固定は非常に難しい。すなわち、一層目のシートを止水部材に融着固定した後、二層目のシートを一層目のシートの上から固定をする際に、一層目のシートの融着部が二層目のシートを融着する際に融解する可能性がある。そのため、遮水シートの水密性能の著しい低下を招いていた。
【０００６】
そこで、本発明は、一層目のシートと二層目のシートとを各シート別々に融着固定して、水密性を維持できる二重遮水シートの固定部材を提供することを目的としている。
【課題を解決するための手段】
【０００７】
上記目的を達成するために、本発明に係る二重遮水シートの固定部材は、躯体に埋設する埋設部と、埋設部の近くに設けたフランジ状の第一の接合部と、第一接合部の上方に設けたフランジ状の第二の接合部と、第一接合部と第二接合部とを連結するウェブ状の連結部とで構成されていることを特徴とする。
【０００８】
上記構成によると、本発明の固定部材は、第一接合部と第二接合部との２つのフランジ状の接合部を設けており、各接合部は、遮水シートを固定する接合面を形成している。それにより、遮水シートの固定は、接合部に隆起等がないので容易に融着を行うことができ、さらに、融着を均一に行うことができ固定の強度を高くすることができる。
【０００９】
また、一層目のシートを第一接合部に融着し、二層目のシートを第二接合部に融着することができる。それにより、一層目のシートと二層目のシートの固定は、独立して固定することができるので、一層目のシートの水密性を維持した状態で二層目のシートを固定することができる。すなわち、一層目のシートの融着部の上に二層目のシートを融着することがないので、一層目のシートの融着部が融解することがないため水密性を維持することができる。さらに、固定部材は、遮水シートと同質の材料で形成することで融着性を高めることができ、固定部にかかる負荷等による破損等を低減することができる。
【００１０】
また、固定部材は、第一接合面を第二接合面より広く形成することができる。第一接合面を広く構成することにより、一層目のシートの固定作業は、第二接合部が融着作業の邪魔になることなく、第一接合部への融着を容易に行うことができる。したがって、遮水シートの敷設作業を容易に行うことができ、固定部材への取り付け作業時間を短縮することができる。
【００１１】
また、第一接合部と第二接合部との間には、連結部と第一接合部と第二接合部とで漏水検知用の漏水路を構成していることを特徴とする。
【００１２】
上記構成によると、固定部材は、フランジ状に形成する第一接合部と、該第一接合部の上方に配設した第二接合部と、第一接合部と第二接合部とを連結するウェブ状に形成した連結部とで囲むように空間を構成している。該空間は、第一接合部と第二接合部を壁面とし、連結部を底面とした漏水検知用の漏水路を形成している。これにより、遮水シートの固定部から汚水等が漏れたとしても、この漏水路に汚水等の漏水が流れ込み、処分場の外部に排出することができる。従って、固定部材は、コンクリート壁面等の躯体に設置し、遮水シートを固定した後に、遮水シートの固定部に破損や損傷等があった場合、損傷等した位置を特定することができる。これにより、修理や保全等が効果的に行うことができ、修復する作業時間や施工費用を抑えることができる。なお、漏水路を円筒状のパイプにしても良い。
【発明の効果】
【００１３】
以上のように、本発明によると、二重構造の遮水シートを固定する固定部材の接合部を二段設けた構造とすることで、二重遮水シートは各シート別々に接合部に接合することができる。また、固定部材の形成する材料を遮水シート同質のものとすることで、接合部の融着性を高くすることができる。
【００１４】
さらに、固定部材は、二重遮水シートの各シートで接合面を設けているので、施工の際に効率よく固定部材に接合することができ、施工の作業時を短縮することができ、さらに、遮水シートの水密性を保つことができる。また、漏水検知用路水路を設けることで、破損個所の断定をしやすくなり、補修や修繕等の作業が容易にすることが実現できる。
【発明を実施するための最良の形態】
【００１５】
以下、本発明の実施形態を図面に基づいて説明する。図１は本発明に係る廃棄物の埋立て処分場の全体構造図、図２は本発明に係る固定部材の全体構造斜視図、図３は躯体に埋設した固定部材の断面図、図４は躯体に埋設した固定部材の斜視図を示す。
【００１６】
廃棄物の埋立て処分場１の断面構造は、図１に示すように、二重遮水シート５を本発明の実施形態の固定部材を用いて躯体である壁面２に施工したものである。この廃棄物の埋立て処分場１は、山間部の谷間等を開削して形成されており、例えば、数百メートル単位の凹所に施工される。凹所は、図１に示すように、ほぼ平坦な底面と、その周囲の法面からなり、山間の下腹部側に法面の上部と同等の高さまでの壁面２となるコンクリート壁が打設されている。なお、図１に記載する３は法面に敷設した二重遮水シートを示しており、４は底面に敷設した二重遮水シートを示す。
【００１７】
このコンクリート製の壁面２には、例えば、ポリエステル長繊維不織布よりなる保護マットあるいは樹脂補強ネットと反毛フェルトを積層してなる保護マットが敷設されるとともに、この保護マットの表面上に、線膨張係数が小さく、かつ、熱融着可能な材料、例えばオレフィン系熱可塑性エラストマーや、カーボンブラックを均一に分散させた高密度ポリエチレン樹脂、ポリエステル基布を芯材としたゴム等からシート状に構成された二重遮水シート５を重ね敷設され、これら二重遮水シート５及び保護マットを壁面２の上部、法面３及び底面４に敷設することにより、廃棄物の埋立て処分場１の表面遮水工が施工されている。このような廃棄物の埋立て処分場１の遮水工の具体的な施工方法について以下、詳細に説明する。
【００１８】
図２は、二重遮水シート５を壁面２に固定する本実施形態の固定部材６を示す。固定部材６は、壁面２に埋設して固定部材６を支える埋設部７、一層目の遮水シートである下側シート５ｂと接合する第一の接合部８、二層目の遮水シートである上側シート５ａ接合する第二の接合部９、第一接合部８と第二接合部９とを連結する連結部１０とから構成される。
【００１９】
埋設部７は、第一接合部８の下面中央位置から垂直に設けられ、第一接合部８と一体的に形成されている。埋設部７の端部はくさび形の突起１１が形成されている。この突起１１は、先端部が先細り状に形成されているので、壁面２に設けられた取り付け用の穴や溝等に埋設部７を容易に埋設することができる。さらに、突起１１は、凸状に形成された根元部が埋設した壁面２内部で引っ掛かりとなり、壁面２からの離脱を防止している。
【００２０】
第一接合部８は、遮水シートの下側シート５ｂを融着して固定する部分で、矩形形状の平面である第一接合面１２を形成している。第一接合部８の上側には、第二接合部９が配置されている。第二接合部９は、遮水シートの上側シート５ａを融着して固定する部分で、第一接合面１２と平行に矩形形状の平面である第二接合面１３を形成している。第一接合部８と第二接合部９とは、第一接合部８の上面中央位置と第二接合部９の下面中央位置とがウェブ状の連結部１０を介して一体的に形成されている。
【００２１】
第一接合部８は、第二接合部９より広く形成されている。すなわち、第一接合部８は、遮水シート５の端部を融着する際に、自走式熱融着機やハンドライスター等が容易に融着作業が行える作業範囲が確保されている。例えば、第一接合部８の接合面１２の中央から端部までの幅が、第二接合部９の接合面１３の中央から端部までの距離の二倍以上とする。
【００２２】
固定部材６は、フランジ状に形成する第一接合部８と、該第一接合部８の上方に配設した第二接合部９と、第一接合部８と第二接合部９とを連結するウェブ状に形成した連結部１０とで囲むように空間を構成している。この空間は、第一接合部８と第二接合部９を壁面とし、連結部１０を底面とした漏水検知用の漏水路１５を構成される。
【００２３】
次に、図３に示すように、本実施形態の固定部材６を用いた二重遮水シート５の施工方法を説明する。先ず、固定部材６は、コンクリート壁面２に対して横方向に規律良く並べて設けられた固定部材取り付け用の溝に、固定部材６の埋設部７の全体を壁面２に埋設する。
【００２４】
遮水シート５は、図４に示すように、遮水シート５の上側に設けた固定部材６の第一接合面１２に下側シート５ｂの上側端部を融着し、遮水シート５の下側に設けた固定部材６の第一接合面１２に下側端部を融着する。次に、遮水シート５の上側の固定部材６の第二接合面１３に上側シート５ａの上側端部を融着し、遮水シート５の下側の固定部材６の第二接合面１３に融着する。
【００２５】
このとき、遮水シート５を融着する各接合面１２、１３の範囲は、第一接合面１２の場合、連結部１０をから第一接合部８端部までの幅で、第二接合面１３の場合、連結部１０の延長線上と第二接合部９端部までの幅とする。これにより、壁面２に対して上下に隣り合う遮水シート５の固定は、固定部材６の連結部１０を挟んで反対側の各接合面１２、１３に融着することができる。例えば、第一接合部８は、連結部１０を挟んで第一接合面１２を分割する。第二接合部９は、連結部１０の延長線上を境として第二接合面１３を分割する。それにより、上下に隣り合う遮水シート５は、上側に設けた遮水シート５の下側端部と、下側に設けた遮水シート５の上側端部とを分割した各接合面１２，１３に夫々融着することができる。
【００２６】
なお、上側遮水シート５ａの融着は、下側遮水シート５ｂを敷設した後に行う。すなわち、下側シート５ｂを壁面２全体に敷設した後に、上側シート５ａの固定部材６への融着を行う。さらに、遮水シート５端部の融着は、肉盛融着１６（境界部に溶融接着剤を塗布して接着）とする。これにより、融着部の水密性を高くすることができるが、特に肉盛融着に限ることはない。水密性を保つことができれば圧着やテープ等での固定でも良い。また、固定部材６は、遮水シート５と同質の材料、例えば、カーボンブラックを均一に分散させた高密度ポリエチレン樹脂、ポリエステル基布を芯材としたゴム等で形成する。これにより、固定部材６は、遮水シート５との融着性を高くすることができる。
【００２７】
次に、第一接合部８と第二接合部９と連結部１０とで構成する漏水検知用の漏水路１５について説明する。漏水路１５は、上側シート５ａの融着部から汚水が漏れると、第一接合部８と第二接合部９と連結部１０とで構成した漏水路１５に汚水が溜まる。この漏水路１５に溜まった汚水は、漏水路１５を伝って埋立て処分場１の外部に排出される。これにより、埋め立て処分場１の管理者は、遮水シート５の破損を検知することができ、さらに、どの場所からの漏水かが容易に判別することができる。すなわち、固定部材６は、規律良く横方向に整列して壁面２に配設しているので、どの汚水路１５を伝って漏れてきたときかによって、遮水シート５の破損個所を判別することができる。なお、連結部１０を半円形状に形成し溝を構成することで、さらに漏水を流れ安くすることができる。
【００２８】
なお、漏水路１５は、特にこの限りではない。漏水路１５は、第一接合部８と第二接合部９と連結部１０とで構成する部分に、円筒状の樹脂性パイプで形成されたパイプを配設しても良い。このとき、パイプの外周面は、第一接合部８と第二接合部９と連結部１０とに接しており、該三面と接していない、すなわち連結部１０と反対の位置になるパイプの外周円に、直線に並べられた孔が等間隔で複数形成されている。すなわち、漏水路は、パイプに形成した孔から漏水が内部に流れ込み、パイプ内を伝って処理場１の外部に排出される。
【００２９】
本発明は、上記実施形態に限定されるものではなく、本発明の範囲内で修正、変更を加えることができる。例えば、本実施例では、コンクリート壁に設けることを開示したが、埋立て処分場の法面や底面等に設けることもできる。また、固定部材の材質を遮水シートと同じ材質で形成することはなく、鉄鋼や樹脂等で形成してもよい。また、第一接合面の幅を第二接合面の幅の二倍の広さに設定しているが、第一接合面に遮水シートの端部が融着できる幅があればよい。さらに、接合部は、２段に限定することなく、３段、４段等、多数段設けることも可能である。また、遮水シートに限らず、保護マット等のシートを敷設する施工個所で用いることができる。
【図面の簡単な説明】
【００３０】
【図１】本発明に係る廃棄物の埋立て処分場の全体構造図
【図２】実施形態の固定部材の全体構造斜視図
【図３】躯体に埋設した固定部材の断面図
【図４】躯体に埋設した固定部材の斜視図
【符号の説明】
【００３１】
１      埋め立て処分場
２      壁面
３      法面
４      底面
５      壁面に敷設した二重遮水シート
５ａ    二重遮水シートの上側シート
５ｂ    二重遮水シートの下側シート
６      固定部材
７      固定部材の埋設部
８      固定部材の第一接合部
９      固定部材の第二接合部
１０    固定部材の連結部
１１    突起
１２    第一接合部の接合面
１３    第二接合部の接合面
１５    濾水検知用の漏水路
１６    肉盛融着
【図１】
2005095720.tif 000003
【図２】
2005095720.tif 000004
【図３】
2005095720.tif 000005
【図４】
2005095720.tif 000006